(57)【要約】【課題】  パスワード入力等の操作を必要としないで不正使用を排除できるコードレス電話機及びその使用規制方法，使用規制用プログラムを提供する【解決手段】  子機１の暗証番号記憶部１３に記憶されている暗証番号と親機２の暗証番号記憶部２３に記憶されている暗証番号とを照合し一致するか否かを判定する暗証番号認証が、暗証番号認証部１２又は暗証番号認証部２２によって実行され、暗証番号認証の結果に応じて子機１及び又は親機２に対する操作が制限される。【選択図】図１
2007251251.tif 000002
【特許請求の範囲】
【請求項１】
電話回線網に接続する親機と、この親機と無線回線で接続することで電話回線網に接続可能な子機とからなるコードレス電話機において、
暗証番号を親機側暗証番号として記憶する親機側暗証番号記憶部を前記親機に備え、
暗証番号を子機側暗証番号として記憶する子機側暗証番号記憶部を前記子機に備え、
前記親機側暗証番号と前記子機側暗証番号とを照合し一致するか否かを判定する暗証番号認証部と、この暗証番号認証部における判定の結果に応じて利用者による操作を制限する操作規制部とを前記親機及び前記子機の少なくともいずれか一方に備えることを特徴とするコードレス電話機。
【請求項２】
前記請求項１に記載のコードレス電話機において、
通話記録や電話帳情報等の個人情報を記憶する情報記憶部を前記親機及び前記子機の少なくともいずれか一方に備えると共に、前記操作規制部が、前記利用者による操作のうち前記情報記憶部に関わる機能に対する操作のみを制限するようにしたことを特徴とするコードレス電話機。
【請求項３】
前記請求項１又は２に記載のコードレス電話機において、
前記親機側暗証番号記憶部が、前記子機の台数分の暗証番号をそれぞれ親機側暗証番号として記憶する機能を有すると共に、前記子機に備えられた暗証番号認証部は、当該子機に記憶されている子機側暗証番号と前記親機側暗証番号それぞれとを照合する機能を有したことを特徴とするコードレス電話機。
【請求項４】
前記請求項１乃至３のいずれか一項に記載のコードレス電話機において、
前記親機側暗証番号記憶部及び前記子機側暗証番号記憶部の少なくともいずれか一方が、利用者のキー操作等による番号入力によって暗証番号を記憶又は更新する機能を有すると共に、前記操作規制部は、暗証番号を記憶又は更新させるためのキー操作等による番号入力を許可する機能を有したことを特徴とするコードレス電話機。
【請求項５】
電話回線網に接続する親機と、この親機と無線回線で接続することで電話回線網に接続可能な子機と、前記親機及び前記子機に無線回線で接続可能であると共に暗証番号を暗証番号鍵として記憶する暗証番号鍵装置とからなり、
暗証番号を記憶する暗証番号記憶部と、この記憶された暗証番号と前記暗証番号鍵とを照合し一致するか否かを判定する暗証番号認証部と、この暗証番号認証部による判定の結果に応じて利用者による操作を制限する操作規制部とを前記親機及び前記子機の少なくともいずれか一方に備えることを特徴とするコードレス電話機。
【請求項６】
電話回線網に接続する親機と、この親機に無線回線で接続することで電話回線網に接続可能な子機とからなるコードレス電話機の使用規制方法において、
前記親機と前記子機とが無線回線で接続する接続工程と、
前記親機に記録されている暗証番号と前記子機に記録されている暗証番号とを照合し一致するか否かを判定する認証工程と、
この認証工程における判定の結果に応じて前記コードレス電話機に対する操作を制限する使用規制工程とを設けたことを特徴とする使用規制方法。
【請求項７】
前記請求項６に記載の使用規制方法において、
前記認証工程前に、前記親機及び前記子機が、利用者のキー操作等により入力された暗証番号を記録する暗証番号記録工程を設けたことを特徴とする使用規制方法。
【請求項８】
前記請求項６又は７に記載の使用規制方法において、
前記コードレス電話機が、通話記録や電話帳情報等の個人情報を記憶する機能を有しており、
前記使用規制工程においては、前記コードレス電話機に対する操作のうち前記個人情報に関わる機能に対する操作のみを制限するように構成したことを特徴とする使用規制方法。
【請求項９】
電話回線網に接続する親機と、この親機に無線回線で接続することで電話回線網に接続可能な子機と、前記親機及び前記子機に無線回線で接続可能な暗証番号鍵装置とからなるコードレス電話機の使用規制方法において、
前記暗証番号鍵装置が前記親機及び前記子機のいずれかと無線回線で接続する接続工程と、
前記暗証番号鍵装置と無線回線で接続している前記親機及び前記子機のいずれかに記録されている暗証番号と、前記暗証番号鍵装置に記録されている暗証番号である暗証番号鍵とを照合し一致するか否かを判定する認証工程と、
前記暗証番号鍵装置と無線回線で接続している前記親機及び前記子機のいずれかに対する操作を前記認証工程における判定の結果に応じて制限する使用規制工程とを設けたことを特徴とする使用規制方法。
【請求項１０】
電話回線網に接続する親機と、この親機と無線回線で接続することで電話回線網に接続可能な子機とからなるコードレス電話機の動作を制御するコンピュータに、
前記親機に記録されている暗証番号と前記子機に記録されている暗証番号とを照合し一致するか否かを判定する認証処理と、この認証処理における判定の結果に応じて前記コードレス電話機に対する操作を制限する使用規制処理とを実行させることを特徴としたコードレス電話機使用規制用プログラム。
【請求項１１】
前記請求項１０に記載のコードレス電話機使用規制用プログラムにおいて、
前記コードレス電話機が、通話記録や電話帳情報等の個人情報を記憶する機能を有しており、前記使用規制処理にあっては、前記コードレス電話機に対する操作のうち個人情報に関わる機能に対する操作のみを制限するようにその内容を特定したことを特徴とするコードレス電話機使用規制用プログラム。
【請求項１２】
前記請求項１０又は１１に記載のコードレス電話機使用規制用プログラムにおいて、
利用者のキー操作等による番号入力により暗証番号を記録又は更新する暗証番号記録／更新処理を前記コンピュータに実行させると共に、前記使用規制処理にあっては、暗証番号を記録又は更新するためのキー操作等による番号入力を許可するようにその内容を特定したことを特徴としたコードレス電話機使用規制用プログラム。
【請求項１３】
電話回線網に接続する親機と、この親機と無線回線で接続することで電話回線網に接続可能な子機と、前記親機及び前記子機に無線回線で接続可能であると共に暗証番号を暗証番号鍵として記憶する暗証番号鍵装置とからなるコードレス電話機の動作を制御するコンピュータに、
前記親機及び前記子機のいずれかに記録されている暗証番号と前記暗証番号鍵とを照合し一致するか否かを判定する認証処理と、この照合した暗証番号が記録されている前記親機及び前記子機のいずれかに対する操作を前記認証処理における判定の結果に応じて制限する使用規制処理とを実行させることを特徴としたコードレス電話機使用規制用プログラム。
【発明の詳細な説明】
【技術分野】
【０００１】
本発明は、電話回線に接続された親機と、この親機と無線回線で接続することで電話回線網に接続可能な子機とで構成されるコードレス電話機及びその使用規制方法，使用規制用プログラムに関する。
【背景技術】
【０００２】
これまでの電話機や電話機付ファクシミリには、通信機能の他に電話帳機能や発着信元登録機能，ファクシミリデータメモリ機能等の情報を記録する機能が備えられている。従来、これらの機能によって記録されている情報を保護するための機能として、操作対象のハードウェアに対してパスワード入力を行って操作ロック状態を解除する操作ロック機能が実現されている。しかし、この操作ロック機能は、ハードウェアを操作する度にパスワード入力が必要であり、利用者にとっては非常に煩わしかった。
【０００３】
このため、特許文献１では、親機と子機の双方に記憶された暗証コードを利用し、親機において生成され送信された認証コードを子機が暗証コードと組み合わせて符号化し、それを受信した親機において認証コードが正しく符号化されていると判定された場合にのみ子機に対して通話を許可する無線電話装置が開示されている。
【０００４】
【特許文献１】特開平７−１６２９５０号公報
【発明の開示】
【発明が解決しようとする課題】
【０００５】
しかしながら、特許文献１の無線電話機では、子機の使用を規制するのみであると共に、通話機能のみの規制であるため、親機の使用は規制されないのはもちろんのこと、電話帳機能や発着信元登録機能，ファクシミリデータメモリ機能等により子機及び親機に記録されている情報については全く保護されないという不都合があった。
【０００６】
そこで、本発明は、上記の不都合を改善し、使用する度に実行していたパスワード入力等の操作をしないで使用を規制できるコードレス電話機及びその使用規制方法，使用規制用プログラムを提供することを、その目的とする。
【課題を解決するための手段】
【０００７】
上記目的を達成するために、本発明のコードレス電話機は、電話回線網に接続する親機と、この親機と無線回線で接続することで電話回線網に接続可能な子機とからなるコードレス電話機であり、暗証番号を親機側暗証番号として記憶する親機側暗証番号記憶部を親機に備え、暗証番号を子機側暗証番号として記憶する子機側暗証番号記憶部を子機に備え、親機側暗証番号と子機側暗証番号とを照合し一致するか否かを判定する暗証番号認証部と、この暗証番号認証部による判定の結果に応じて利用者による操作を制限する操作規制部とを親機及び子機の少なくともいずれか一方に備えることを特徴とする（請求項１）。
【０００８】
このようなコードレス電話機によれば、親機と子機それぞれに暗証番号を登録し、この登録された暗証番号が一致するか否かに応じて使用を制限する。即ち、利用者が親機又は子機を操作するためには、接続されるべき親機と子機が、互いに無線接続できる範囲内に通電状態で在り、互いの暗証番号の照合を実行しなければならない。すなわち、親機と子機とが互いに暗証番号鍵の役割を果たしており、利用者は、セキュリティレベルが向上していることを特に意識することなくこのコードレス電話機を使用することができる。
【０００９】
また、上記のコードレス電話機は、通話記録や電話帳情報等の個人情報を記憶する情報記憶部を親機及び子機の少なくともいずれか一方に備えると共に、上述した操作規制部が、利用者による操作のうち情報記憶部に関わる機能に対する操作のみを制限するようにしてもよい（請求項２）。
【００１０】
このようにすると、親機及び子機の少なくともいずれか一方に記録されている電話帳や発着信元情報，ファクシミリデータ等の個人情報を保護するために、親機と子機とが互いに暗証番号鍵の役割を果たしている。通話機能は制限されていないので、通話をする場合は通常通り使用でき煩わしさを感じない。また、個人情報保護の観点から見てセキュリティレベルが向上する。
【００１１】
更に、上記のコードレス電話機において、上述した親機側暗証番号記憶部が、子機の台数分の暗証番号をそれぞれ親機側暗証番号として記憶する機能を有すると共に、子機に備えられた暗証番号認証部は、当該子機に記憶されている子機側暗証番号と親機側暗証番号それぞれとを照合する機能を有してもよい（請求項３）。このようにすると、一台の親機に対して複数の子機を接続できるように設定されていても、子機毎に暗証番号認証を実行でき、子機毎に使用規制を掛けることができる。
【００１２】
また、上記のコードレス電話機において、上述した親機側暗証番号記憶部及び子機側暗証番号記憶部の少なくともいずれか一方が、利用者のキー操作等による番号入力によって暗証番号を記憶又は更新する機能を有すると共に、操作規制部は、暗証番号を記憶又は更新させるためのキー操作等による番号入力を許可する機能を有してもよい（請求項４）。
【００１３】
このようにすると、親機又は子機に登録する暗証番号を利用者が決定できる。例えば、親機と子機との暗証番号が一致する場合に情報記憶部に関わる機能に対する操作を許可するコードレス電話機において、暗証番号が一致しないように変更すれば、個人情報を保護しながら通話機能は使用できるようになる。
【００１４】
また、本発明のコードレス電話機は、電話回線網に接続する親機と、この親機と無線回線で接続することで電話回線網に接続可能な子機と、親機及び子機に無線回線で接続し暗証番号を暗証番号鍵として記憶する暗証番号鍵装置とからなり、暗証番号を記憶する暗証番号記憶部と、この記憶された暗証番号と暗証番号鍵とを照合し一致するか否かを判定する暗証番号認証部と、この暗証番号認証部による判定の結果に応じて利用者による操作を制限する操作規制部とを親機及び子機の少なくともいずれか一方に備えることを特徴とする（請求項５）。
【００１５】
このようなコードレス電話機によれば、親機と子機とは別に用意した暗証番号鍵装置が、親機及び子機の暗証番号鍵の役割を果たしており、利用者に暗証番号鍵装置を所持させることで、特に意識させること無く親機及び子機の使用を規制することができる。また、暗証番号鍵装置を所持していない第三者は親機及び子機を使用することができないことになる。
【００１６】
次に、本発明のコードレス電話機の使用規制方法は、電話回線網に接続する親機と、この親機に無線回線で接続することで電話回線網に接続可能な子機とからなるコードレス電話機の使用規制方法であり、親機と子機とが無線回線で接続する接続工程と、親機に記録されている暗証番号と子機に記録されている暗証番号とを照合し一致するか否かを判定する認証工程と、この認証工程における判定の結果に応じてコードレス電話機に対する操作を制限する使用規制工程とを設けたことを特徴とする（請求項６）。
【００１７】
このようなコードレス電話機の使用規制方法によれば、親機と親機とが互いに暗証番号鍵の役割を果たしているので、利用者に特に意識させること無く親機及び子機の使用を規制でき、セキュリティレベルが向上することになる。
【００１８】
また、上記の使用規制方法において、上述した認証工程前に、親機及び子機が利用者のキー操作等により入力された暗証番号を記録する暗証番号記録工程を設けてもよい（請求項７）。このようにすると、親機又は子機に登録する暗証番号を利用者のキー入力等により記録又は変更できる。
【００１９】
また、上記の使用規制方法では、コードレス電話機が、通話記録や電話帳情報等の個人情報を記憶する機能を有しており、上述した使用規制工程を、コードレス電話機に対する操作のうち個人情報に関わる機能に対する操作のみを制限するように構成してもよい（請求項８）。このようにすると、通話機能を制限しないで個人情報を保護でき、通話をする場合は通常通り使用でき煩わしさを感じない。
【００２０】
また、本発明のコードレス電話機の使用規制方法は、電話回線網に接続する親機と、この親機に無線回線で接続することで電話回線網に接続可能な子機と、親機及び子機に無線回線で接続する暗証番号鍵装置とからなるコードレス電話機の使用規制方法であり、暗証番号鍵装置が親機及び子機のいずれかと無線回線で接続する接続工程と、暗証番号鍵装置と無線回線で接続している親機及び子機のいずれかに記録されている暗証番号と、暗証番号鍵装置に記録されている暗証番号である暗証番号鍵とを照合し一致するか否かを判定する認証工程と、暗証番号鍵装置と無線回線で接続している親機及び子機のいずれかに対する操作を認証工程における判定の結果に応じて制限する使用規制工程とを設けたことを特徴とする（請求項９）。
【００２１】
このような使用規制方法によれば、親機と子機とは別に用意した暗証番号鍵装置が、親機及び子機の暗証番号鍵の役割を果たしており、利用者に暗証番号鍵装置を所持させることで、特に意識させること無く親機及び子機の使用を規制できる。
【００２２】
次に、本発明のコードレス電話機の使用規制用プログラムは、電話回線網に接続する親機と、この親機と無線回線で接続することで電話回線網に接続可能な子機とからなるコードレス電話機の動作を制御するコンピュータに、親機に記録されている暗証番号と子機に記録されている暗証番号とを照合し一致するか否かを判定する認証処理と、この認証処理における判定の結果に応じてコードレス電話機に対する操作を制限する使用規制処理とを実行させることを特徴とした（請求項１０）。このようなコードレス電話機使用規制用プログラムは、親機と子機とが互いに暗証番号鍵の役割を果たしているので、セキュリティレベルが向上することになる。
【００２３】
また、上記の使用規制用プログラムにおいて、コードレス電話機が、通話記録や電話帳情報等の個人情報を記憶する機能を有しており、使用規制処理にあっては、コードレス電話機に対する操作のうち個人情報に関わる機能に対する操作のみを制限するようにその内容を特定してもよい（請求項１１）。このようにすると、通話機能を制限しないで個人情報を保護でき、通話をする場合は通常通り使用でき煩わしさを感じない。また、子機が盗難された場合でも子機に記憶されている個人情報を保護できる。
【００２４】
また、上記の使用規制用プログラムは、利用者のキー操作等による番号入力により暗証番号を記録又は更新する暗証番号記録／更新処理をコンピュータに実行させると共に、上述した使用規制処理にあっては、暗証番号を記録又は更新するためのキー操作等による番号入力を許可するようにその内容を特定してもよい（請求項１２）。このようにすると、親機又は子機に登録する暗証番号を利用者のキー入力等により記録又は変更できる。
【００２５】
次に、本発明のコードレス電話機の使用規制用プログラムは、電話回線網に接続する親機と、この親機と無線回線で接続することで電話回線網に接続可能な子機と、親機及び子機に無線回線で接続し暗証番号を暗証番号鍵として記憶する暗証番号鍵装置とからなるコードレス電話機の動作を制御するコンピュータに、親機及び子機のいずれかに記録されている暗証番号と暗証番号鍵とを照合し一致するか否かを判定する認証処理と、この照合した暗証番号が記録されている親機及び子機のいずれかに対する操作を認証処理における判定の結果に応じて制限する使用規制処理とを実行させることを特徴とした（請求項１３）。
【００２６】
このようなコードレス電話機使用規制用プログラムによれば、親機と子機とは別に用意した暗証番号鍵装置が、親機及び子機の暗証番号鍵の役割を果たしており、利用者に暗証番号鍵装置を所持させることで、特に意識させること無く親機及び子機の使用を規制できる。また、暗証番号鍵装置を所持していない第三者による不正な使用を排除することができる。
【発明の効果】
【００２７】
以上説明したように、本発明によれば、利用者に意識させること無く親機及び子機の使用を規制し、特に個人情報に関わるセキュリティを保つことが可能なコードレス電話機を提供することができる。また、通話機能は規制しないで、記憶されている個人情報に関わる機能のみを規制することで、個人情報を保護しながら、通話を通常通りに行うことができるコードレス電話機を提供でき、利用者に煩わしさを感じさせないようにすることができる。
【発明を実施するための最良の形態】
【００２８】
以下、本発明に係る一実施形態を、図面を参照して説明する。
【００２９】
図１は、本発明に係る第１の実施形態のコードレス電話機の構成を示したブロック図である。
【００３０】
図１に示すように、第１の実施形態のコードレス電話機は、子機１と親機２とで構成されている。そのうち、子機１は、無線通信を行う無線通信部１０と、子機１の動作を制御する主制御部１１と、親機２との間で暗証番号の認証処理を行う暗証番号認証部１２と、暗証番号を子機側暗証番号として記憶する子機側暗証番号記憶部としての暗証番号記憶部１３と、子機１に対する操作を制限する操作規制部１４と、利用者が子機１の操作を行うための操作キーや表示画面等が設けられている操作パネル部１５とを備えて構成されている。
【００３１】
また、親機２は、無線通信を行う無線通信部２０と、親機２の動作を制御する主制御部２１と、子機１との間で暗証番号の認証処理を行う暗証番号認証部２２と、暗証番号を親機側暗証番号として記憶する親機側暗証番号記憶部としての暗証番号記憶部２３と、親機２に対する操作を制限する操作規制部２４と、利用者が親機２の操作を行うための操作キーや表示画面等が設けられている操作パネル部２５と、電話回線網３に接続する電話網通信部２６とを備えて構成されている。
【００３２】
無線通信部１０及び無線通信部２０は、互いに無線接続しデータの送受信を行う機能を有している。暗証番号認証部１２は、親機２からの親機側暗証番号と暗証番号記憶部１３に記憶されている子機側暗証番号とを照合し一致するか否か判定する暗証番号認証を実行する機能を有し、暗証番号認証部２２も同様に、子機１からの子機側暗証番号と暗証番号記憶部２３に記憶されている親機側暗証番号との暗証番号認証を実行する機能を有している。
【００３３】
操作規制部１４は、暗証番号認証部１２において実行された暗証番号認証の結果に応じて操作パネル部１５へのキー操作を無効又は有効にし、利用者による子機１への操作を制限する機能を有している。操作規制部２４も同様に、暗証番号認証部２２において実行された暗証番号認証の結果に応じて操作パネル部２５へのキー操作を無効又は有効にし、利用者による親機２への操作を制限する機能を有している。
【００３４】
次に、本発明に係る第１の実施形態の動作について説明する。図２は、図１に示す実施形態のコードレス電話機における子機１の暗証番号登録処理動作を示したフローチャートである。
【００３５】
まず、暗証番号記憶部１３に既に子機側暗証番号が記憶されているか確認され（図２：ステップＳ１０１）、既に子機側暗証番号が記憶されている場合、利用者のキー操作により操作パネル部１５から暗証番号が入力される（図２：ステップＳ１０２）。この入力された暗証番号が暗証番号記憶部１３に既に記憶されている子機側暗証番号と一致するか否か判定され（図２：ステップＳ１０３）、入力された暗証番号が子機側暗証番号と一致しなかった場合は、暗証番号登録処理はエラーとなり、子機１の動作は終了する（図２：ステップＳ１０７）。
【００３６】
暗証番号記憶部１３に暗証番号が記憶されていない場合、又は、入力された暗証番号が子機側暗証番号と一致した場合は、操作パネル部１５から新しい暗証番号が入力される（図２：ステップＳ１０４）。そして、利用者の誤入力を防止するために、新しい暗証番号が再度入力され、これが先に入力された新しい暗証番号と同一であると確認されると（図２：ステップＳ１０５）、この新しい暗証番号が子機側暗証番号として暗証番号記憶部１３に記憶される（図２：ステップＳ１０６）。
【００３７】
図３は、図１に示す実施形態のコードレス電話機における親機２の暗証番号登録処理動作を示したフローチャートである。
【００３８】
図２に示した子機１の暗証番号登録処理動作と同様に、暗証番号記憶部２３に既に暗証番号が記憶されているか確認され（図３：ステップＳ１１１）、既に暗証番号が記憶されている場合は、操作パネル部２４から暗証番号が入力される（図３：ステップＳ１１２）。この入力された暗証番号が暗証番号記憶部１３に記憶されている子機側暗証番号と一致するか否か判定され（図２：ステップＳ１１３）、入力された暗証番号が子機側暗証番号と一致しなかった場合は、暗証番号登録処理はエラーとなり、親機２の動作は終了する（図３：ステップＳ１１７）。
【００３９】
暗証番号記憶部２３に暗証番号が記憶されていない場合、又は、入力された暗証番号が子機側暗証番号と一致した場合は、操作パネル部２４から新しい暗証番号が入力される（図３：ステップＳ１１４）。そして、新しい暗証番号の再入力を確認すると（図３：ステップＳ１１５）、新しい暗証番号が親機側暗証番号として暗証番号記憶部２３に記憶される（図３：ステップＳ１１６）。
【００４０】
ここで、図２及び図３に示す子機１，親機２の暗証番号登録処理動作が、本発明におけるコードレス電話機の使用規制方法の暗証番号記録工程である。また、この暗証番号登録処理動作についてはその内容をプログラム化しコンピュータに暗証番号記録／更新処理として実行させるように構成してもよい。
【００４１】
次に、図４は、図１に示す実施形態のコードレス電話機における子機１の認証処理動作を示すフローチャートである。ここで、本発明におけるコードレス電話機の使用規制方法についても同時に説明する。
【００４２】
まず、利用者による操作パネル部１５へのキー操作を感知すると（図４：ステップＳ１２１）、親機２と無線接続を行う（図４：ステップＳ１２２，接続工程）。無線接続が完了すると、親機２から親機側暗証番号を受信し読み込む（図４：ステップＳ１２４）。一方、子機１の近くに親機２が存在しない等、無線接続に失敗すると認証処理はエラーとなり、操作規制部１４によって操作パネル部１５の機能が、これ以降のキー操作が無効になるように制限される（図４：ステップＳ１２８）。
【００４３】
続いて、読み込んだ親機側暗証番号と暗証番号記憶部１３に記憶されている子機側暗証番号との認証処理が暗証番号認証部１２において実行される（図４：ステップＳ１２５，認証工程）。この認証処理の結果、親機側暗証番号と子機側暗証番号とが一致した場合は、引き続き利用者による操作パネル部１５へのキー操作を受け付ける（図４：ステップＳ１２７）。一方、親機側暗証番号と子機側暗証番号とが一致しなかった場合は、認証処理はエラーとなり、操作規制部１４によって操作パネル部１５の機能が、これ以降のキー操作が無効になるよう制限される（図４：ステップＳ１２８，使用規制工程）。
【００４４】
図５は、図１に示す実施形態のコードレス電話機における親機２の認証処理動作を示めすフローチャートである。ここで、本発明における使用規制方法についても同時に説明する。
【００４５】
図４に示す子機１の認証処理動作と同様に、まず、利用者による操作パネル部２４へのキー操作を感知すると（図５：ステップＳ１３１）、子機１と無線接続を行う（図５：ステップＳ１３２，接続工程）。無線接続が完了すると、子機１から子機側暗証番号を受信し読み込む（図５：ステップＳ１３４）。そして、読み込んだ子機側暗証番号と暗証番号記憶部２３に記憶されている親機側暗証番号との認証処理が暗証番号認証部２２において実行される（図５：ステップＳ１３５，認証工程）。
【００４６】
この認証処理の結果、子機側暗証番号と親機側暗証番号とが一致した場合は、引き続き利用者による操作パネル部２４へのキー操作を受け付ける（図５：ステップＳ１３７）。一方、暗証番号が一致しなかった場合は、認証処理はエラーとなり、操作規制部２４によって操作パネル部２５の機能が、これ以降のキー操作が無効になるように制限される（図５：ステップＳ１３８，使用規制工程）。また、近くに子機１が存在しない等、無線接続に失敗した場合も、認証処理はエラーとなり以降のキー操作は無効になる（図５：ステップＳ１３８）。
【００４７】
ここで、上述した認証工程，使用規制工程についてはその内容をプログラム化しコンピュータに認証処理，使用規制処理として実行させるように構成してもよい。
【００４８】
以上のような本発明に係る第１の実施形態のコードレス電話機によれば、子機１と親機２とが互いに暗証番号鍵となっており、通常、暗証番号で保護されていることを利用者に意識させることはない。仮に子機１が盗難された場合、子機１と親機２とが無線接続できないので、子機単体での操作はガードされている。外出時には、親機側暗証番号と子機側暗証番号とを別の暗証番号にしておき一致しないようにしておくことで、外出中の子機１及び親機２の使用をできない状態にしておくことも可能である。
【００４９】
また、この第１の実施形態において、１台の親機２に対して複数台の子機１が接続登録されている場合は、親機２の暗証番号記憶部２３が登録子機１の台数分の暗証番号を記憶し、暗証番号認証部２２が、無線通信部２０で受信された暗証番号と暗証番号記憶部２３に記憶された暗証番号それぞれとの暗証番号認証を実行する。これにより、複数ある子機毎に使用規制が掛けられる。
【００５０】
次に、本発明に係る第２の実施形態のコードレス電話機について説明する。
【００５１】
図６は、本発明に係る第２の実施形態のコードレス電話機の構成を示したブロック図である。
【００５２】
図６に示すように、第２の実施形態のコードレス電話機は、図１に示す第１の実施形態と同様に、子機４と親機５とで構成されている。このうち、子機４は、第１の実施形態における子機１と同様に、無線通信部４０と、主制御部４１と、暗証番号認証部４２と、暗証番号記憶部４３と、操作規制部４４と、操作パネル部４５とを備えている。また、親機５は、第１の実施形態における親機２と同様に、無線通信部５０と、主制御部５１と、暗証番号認証部５２と、暗証番号記憶部５３と、操作規制部５４と、操作パネル部５５と、電話網通信部５６とを備えている。
【００５３】
子機４は、上記の構成要素に加えて、電話帳機能や発着信元登録機能，ファクシミリデータメモリ機能等において扱われる個人情報を記憶する情報記憶部４６を備えて構成されている。親機５も同様に情報記憶部５７を備えている。これにより、操作規制部４４は、暗証番号認証部４２において実行された暗証番号認証の結果に応じて、電話帳閲覧機能等の情報記憶部４６に記憶されている個人情報を扱う機能の使用を制限する機能を有している。操作規制部５４も同様に、個人情報を扱う機能の使用を制限する機能を有している。
【００５４】
次に、本発明に係る第２の実施形態の動作について説明する。ここで、図面に示していないが、この第２の実施形態における子機４及び親機５は、図２と図３で示す第１の実施形態における子機１及び親機２と同様に暗証番号登録処理動作を実行する。
【００５５】
図７は、図６に示す実施形態のコードレス電話機における子機４の認証処理動作を示すフローチャートである。ここで、本発明におけるコードレス電話機の使用規制方法についても同時に説明する。
【００５６】
まず、利用者による操作パネル部４５へのキー操作を感知すると（図７：ステップＳ２０１）、親機５と無線接続を行う（図７：ステップＳ２０２，接続工程）。無線接続が完了すると、親機５から親機側暗証番号を受信し読み込む（図７：ステップＳ２０４）。一方、子機４の近くに親機５が存在しない場合等、無線接続に失敗すると認証処理はエラーとなり、操作規制部４４によって操作パネル部４５の機能が、電話帳情報閲覧機能等を利用するためのキー操作を無効にするように制限される（図７：ステップＳ２０８）。
【００５７】
続いて、読み込んだ親機側暗証番号と暗証番号記憶部１３に記憶されている子機側暗証番号との認証処理が暗証番号認証部４２において実行される（図７：ステップＳ２０５，認証工程）。この認証処理の結果、親機側暗証番号と子機側暗証番号とが一致した場合は、引き続き操作パネル部４５へのキー操作を受け付ける（図７：ステップＳ２０７）。一方、親機側暗証番号と子機側暗証番号とが一致しなかった場合は、認証処理はエラーとなり、操作規制部４４によって操作パネル部４５の機能が、電話帳情報閲覧機能等を利用するためのキー操作を無効にするように制限される（図７：ステップＳ２０８，使用規制工程）。
【００５８】
図８は、図６に示す実施形態のコードレス電話機における親機５の認証処理動作を示すフローチャートである。ここで、本発明におけるコードレス電話機の使用規制方法についても同時に説明する。
【００５９】
図７に示す子機４の認証処理動作と同様に、まず、利用者による操作パネル部５４へのキー操作を感知すると（図８：ステップＳ２１１）、子機４と無線接続を行う（図８：ステップＳ２１２，接続工程）。無線接続が完了すると、子機４から子機側暗証番号を受信し読み込む（図８：ステップＳ２１４）。
【００６０】
続いて、読み込んだ子機側暗証番号と暗証番号記憶部５３に記憶されている親機側暗証番号との認証処理が暗証番号認証部５２にて実行される（図８：ステップＳ２１５，認証工程）。この認証処理の結果、子機側暗証番号と親機側暗証番号とが一致した場合は、引き続き操作パネル部１５へのキー操作を受け付ける（図８：ステップＳ２１７）。一方、子機側暗証番号と親機側暗証番号とが一致しなかった場合は、認証処理はエラーとなり、以降の電話帳情報閲覧機能等を利用するためのキー操作を無効にする（図８：ステップＳ２１８，使用規制工程）。また、近くに子機４が存在しない場合等、無線接続に失敗した場合も、認証処理はエラーとなり以降の電話帳情報閲覧機能等の利用は不可となる（図８：ステップＳ２１８）。
【００６１】
ここで、上述した認証工程，使用規制工程についてはその内容をプログラム化しコンピュータに認証処理，使用規制処理として実行させるように構成してもよい。
【００６２】
以上のような本発明に係る第２の実施形態のコードレス電話機によれば、個人情報を保護するために、子機４と親機５とが互いに暗証番号鍵となっており、通常、個人情報が暗証番号で保護されていることを利用者に意識させることはない。また、暗証番号認証を個人情報アクセスの規制のみに対して実行することで、通話機能や通信機能は使用可能にすることができ、子機４を一時的に第三者に貸与する場合などに、子機側暗証番号と親機側暗号とが一致しないように登録しておけば、個人情報を保護しながら通話等の通常機能を使用できる状態にすることができる。
【００６３】
また、この第２の実施形態においても、１台の親機５に対して複数台の子機４が接続登録されている場合は、親機５の暗証番号記憶部５３が登録子機の台数分の暗証番号を記憶し、暗証番号認証部５２が、無線通信部５０で受信された暗証番号と暗証番号記憶部４３に記憶された暗証番号それぞれとの暗証番号認証を実行する。これにより、複数ある子機毎に使用規制が掛けられる。
【００６４】
次に、本発明に係る第３の実施形態のコードレス電話機について説明する。
【００６５】
図９は、本発明に係る第３の実施形態のコードレス電話機の構成を示したブロック図である。
【００６６】
図９に示すように、この第３の実施形態は、子機７と、親機８と、暗号鍵装置９とで構成されている。このうち、子機７は、第１の実施形態における子機１と同様に、無線通信部７０と、主制御部７１と、暗証番号認証部７２と、暗証番号記憶部７３と、操作規制部７４と、操作パネル部７５とを備えおり、親機８は、第１の実施形態における親機２と同様に、無線通信部８０と、主制御部８１と、暗証番号認証部８２と、暗証番号記憶部８３と、操作規制部８４と、操作パネル部８５と、電話網通信部８６とを備えている。
【００６７】
また、暗証番号鍵装置９を構成する無線通信部９０は、無線通信部７０及び無線通信部８０と無線接続しデータの送受信を行う機能を有している。暗証番号鍵記憶部９１は、暗証番号を暗証番号鍵として記憶する機能を有している。
【００６８】
次に、本発明に係る第３の実施形態の動作について説明する。ここで、図面に示していないが、この第３の実施形態における子機７及び親機８は、図２と図３で示す第１の実施形態における子機１及び親機２と同様に暗証番号登録処理動作を行う。
【００６９】
図１０は、図９に示す実施形態のコードレス電話機における子機７の認証処理動作を示したフローチャートである。ここで、本発明における使用規制方法についても同時に説明する。
【００７０】
まず、利用者による操作パネル部７４へのキー操作を感知すると（図１０：ステップＳ３０１）、利用者が所持している暗証番号鍵装置９と無線接続を行う（図１０：ステップＳ３０２，接続工程）。このとき、利用者が暗証番号鍵装置９を所持していない場合等、無線接続に失敗すると、認証処理はエラーとなり、操作規制部７４によって操作パネル部７５の機能が、これ以降のキー操作が無効になるように制限される（図１０：ステップＳ３０８）。一方、無線接続が完了すると、暗証番号鍵装置９から暗証番号鍵を受信し読み込む（図１０：ステップＳ３０４）。
【００７１】
続いて、読み込んだ暗証番号鍵と暗証番号記憶部７３に記憶されている子機側暗証番号との認証処理が暗証番号認証部７２で実行される（図１０：ステップＳ３０５，認証工程）。この認証処理の結果、暗証番号が一致した場合は、引き続き利用者によるキー操作を可能にする（図１０：ステップＳ３０７）。暗証番号が一致しなかった場合は、認証処理がエラーとなり以降のキー操作は無効になる（図１０：ステップＳ３０８，使用規制工程）。
【００７２】
また、これと同様にして、図９に示す実施形態のコードレス電話機の親機８の認証処理動作も実行される。ここで、上述した認証工程，使用規制工程についてはその内容をプログラム化しコンピュータに認証処理，使用規制処理として実行させるように構成してもよい。
【００７３】
以上のような本発明の第３の実施形態によるコードレス電話機によれば、暗証番号鍵装置９が、子機７及び親機８に対しての暗証番号鍵となっており、通常、利用者は、暗証番号鍵装置９を所持することで、暗証番号で保護されていることを特に意識する事なく子機７及び親機８を使用することができる。
【図面の簡単な説明】
【００７４】
【図１】本発明に係る第１の実施形態のコードレス電話機の構成を示すブロック図である。
【図２】図１に示す実施形態のコードレス電話機における子機１の暗証番号登録処理動作を示すフローチャートである。
【図３】図１に示す実施形態のコードレス電話機における親機２の暗証番号登録処理動作を示すフローチャートである。
【図４】図１に示す実施形態のコードレス電話機における子機１の認証処理動作を示すフローチャートである。
【図５】図１に示す実施形態のコードレス電話機における親機２の認証処理動作を示すフローチャートである。
【図６】本発明に係る第２の実施形態のコードレス電話機の構成を示すブロック図である。
【図７】図６に示す実施形態のコードレス電話機における子機４の認証処理動作を示すフローチャートである。
【図８】図６に示す実施形態のコードレス電話機における親機５の認証処理動作を示すフローチャートである。
【図９】本発明に係る第３の実施形態のコードレス電話機の構成を示すブロック図である。
【図１０】図９に示す実施形態のコードレス電話機における子機７の認証処理動作を示すフローチャートである。
【符号の説明】
【００７５】
１，４，７  子機
１０，４０，７０  無線通信部
１１，４１，７１  主制御部
１２，４２，７２  暗証番号認証部
１３，４３，７３  暗証番号記憶部
１４，４４，７４  操作規制部
１５，４５，７５  操作パネル部
４６  情報記憶部
２，５，８  親機
２０，５０，８０  無線通信部
２１，５１，８１  主制御部
２２，５２，８２  暗証番号認証部
２３，５３，８３  暗証番号記憶部
２４，５４，８４  操作規制部
２５，５５，８５  操作パネル部
２６，５６，８６  電話網通信部
５７  情報記憶部
３，６，１０  電話回線網
９  暗証番号鍵装置
９０  無線通信部
９１  暗証番号鍵記憶部
【図１】
2007251251.tif 000003
【図２】
2007251251.tif 000004
【図３】
2007251251.tif 000005
【図４】
2007251251.tif 000006
【図５】
2007251251.tif 000007
【図６】
2007251251.tif 000008
【図７】
2007251251.tif 000009
【図８】
2007251251.tif 000010
【図９】
2007251251.tif 000011
【図１０】
2007251251.tif 000012